(57)【要約】      （修正有）【課題】アンテナ性能の劣化を軽減する、カバー付き通信端末を提供する。【解決手段】通信端末１は、筐体２と、筐体２に備えられたアンテナ３と、筐体２を覆うカバー４と、を備えている。筐体を覆うカバーは、アンテナの少なくとも一部と重なる筐体の位置に、凹部４１が形成される。カバーは、通信端末の一部であってもよいし、筐体の周囲に後付けするものでもよい。また、アンテナは筐体に内蔵されていてもよいし、筐体の外部に露出していてもよい。【選択図】図１
2019213068.tif 000002
【特許請求の範囲】
【請求項１】
筐体と、
上記筐体に備えられたアンテナと、
上記筐体を覆うカバーと、
を備えており、
上記カバーは、上記アンテナの少なくとも一部と重なる位置に凹部を有することを特徴とするカバー付き通信端末。
【請求項２】
上記凹部は、上記カバーの、上記アンテナの開放端と重なる位置に設けられることを特徴とする請求項１に記載のカバー付き通信端末。
【請求項３】
上記凹部は、上記カバーの、上記アンテナの電界が最大になる箇所と重なる位置に設けられることを特徴とする請求項１に記載のカバー付き通信端末。
【請求項４】
上記凹部は、上記カバーの、上記アンテナ全体と重なる位置に設けられることを特徴とする請求項１に記載のカバー付き通信端末。
【請求項５】
上記カバーは、上記凹部に充填された誘電体をさらに有することを特徴とする請求項１から４の何れか１項に記載のカバー付き通信端末。
【請求項６】
上記カバーは、上記凹部の内面に設けられたリブをさらに有することを特徴とする請求項１から４の何れか１項に記載のカバー付き通信端末。
【請求項７】
通信端末の筐体を覆うカバーであって、
上記筐体に備えられたアンテナの少なくとも一部と重なる位置に凹部を有することを特徴とするカバー。
【発明の詳細な説明】
【技術分野】
【０００１】
本発明は、カバー付き通信端末、および、カバーに関する。
【背景技術】
【０００２】
従来技術として、電子装置（通信端末）の筐体のカバーが、所望の剛性および無線透過性の特性を有するように、剛性材料を含む第１の領域と、無線透過性材料を含む第２の領域とを備えた構成が開示されている（特許文献１参照）。
【先行技術文献】
【特許文献】
【０００３】
【特許文献１】特許５７８３６５４号公報
【発明の概要】
【発明が解決しようとする課題】
【０００４】
しかしながら、通信端末のカバーに無線透過性材料を用いたとしても、材料によってはアンテナの周波数特性がずれて、アンテナ性能が劣化するという問題がある。
【０００５】
本発明の一態様は、通信端末においてアンテナ性能の劣化を軽減することを目的とする。
【課題を解決するための手段】
【０００６】
上記の課題を解決するために、本発明の一態様に係るカバー付き通信端末は、筐体と、上記筐体に備えられたアンテナと、上記筐体を覆うカバーと、を備えており、上記カバーが、上記アンテナの少なくとも一部と重なる位置に凹部を有する。
【０００７】
また、上記の課題を解決するために、本発明の一態様に係るカバーは、通信端末の筐体を覆うカバーであって、上記筐体に備えられたアンテナの少なくとも一部と重なる位置に凹部を有する。
【発明の効果】
【０００８】
本発明の一態様によれば、通信端末においてアンテナ性能の劣化を軽減することができる。
【図面の簡単な説明】
【０００９】
【図１】本発明の実施形態１に係る通信端末の断面図である。
【図２】本発明の実施形態２に係る通信端末の断面図である。
【図３】本発明の実施形態３に係る通信端末の断面図である。
【図４】本発明の実施形態４に係る通信端末の断面図である。
【図５】本発明の実施形態５に係る通信端末の断面図である。
【発明を実施するための形態】
【００１０】
〔実施形態１〕
以下、本発明の実施形態１について、詳細に説明する。図１は、本実施形態に係る通信端末（カバー付き通信端末）１の、アンテナ３を含む断面図である。通信端末１は、スマートフォン、タブレット端末、ノートＰＣ等である。
【００１１】
図１に示すように、通信端末１は、筐体２と、筐体２に備えられたアンテナ３と、筐体２を覆うカバー４と、を備えている。カバー４は、一部が凹んでいるケースであり、アンテナ３の少なくとも一部と重なる位置であって、筐体２に接する側の面に凹部４１を有する。なお、カバー４は、通信端末１の一部であってもよいし、筐体２の周囲に後付けするものでもよい。また、アンテナ３は筐体２に内蔵されていてもよいし、筐体２の外部に露出していてもよい。
【００１２】
ここで、「重なる」とは、アンテナ３をカバー４の何れかの面に対して投影したときに、カバー４の凹部４１とアンテナ３とが重なっている状態を意味する。
【００１３】
また、「凹部」とは、カバー４の主部を構成する部材が、筐体２に接する側の面または外部に露出する面において凹んでいる部位を意味し、筐体２に接する側の面から外部に露出する面まで貫通する穴であってもよい。また、凹部の内部は他の部材によって充填されていてもよいし、凹部内にリブなどの構造が形成されていてもよい。
【００１４】
カバー４は、通信端末１の筐体２を覆う。カバー４は、筐体２に内蔵された（備えられた）アンテナ３の少なくとも一部と重なる位置に凹部４１を有する。
【００１５】
図１に示すように、通信端末１において、凹部４１は、カバー４の、アンテナ３全体と重なる位置に設けられてもよい。
【００１６】
（実施形態１の効果）
実施形態１によれば、通信端末１において、カバー４の、アンテナ３に重なる部分が凹んでいるので、アンテナ３をカバー４から離すことができ、アンテナの周波数特性のずれを軽減することができる。従って、アンテナ性能の劣化を軽減することができる。
【００１７】
〔実施形態２〕
本発明の実施形態２について、以下に説明する。なお、説明の便宜上、実施形態１にて説明した部材と同じ機能を有する部材については、同じ符号を付記し、その説明を繰り返さない。
【００１８】
図２は、本実施形態に係る通信端末１の、アンテナ３を含む断面図である。図２に示すように、カバー４は、凹部４１に充填された誘電体４２をさらに有する。誘電体４２は、カバー４とは異なる材質であり、カバー４よりも小さい比誘電率を有する。
【００１９】
カバー４は、例えば、ガラス等である。ガラスの比誘電率は、約５．０〜７．０である。誘電体４２は、例えば、ポリカーボネート、ＡＢＳ（Acrylonitrile Butadiene Styrene）、シリコン樹脂等である。ポリカーボネート、および、ＡＢＳの比誘電率は、約３．０である。シリコン樹脂の比誘電率は、約２．４〜５．０である。
【００２０】
（実施形態２の効果）
実施形態２によれば、カバー４の凹部４１に何も充填されていない構成よりも、凹部４１に誘電体４２を充填した構成の方が、通信端末１の強度が増加する。そして、誘電体４２はカバー４よりも比誘電率が小さいので、カバー４に凹部４１がない構成よりもアンテナの周波数特性のずれは小さい。
【００２１】
〔実施形態３〕
本発明の実施形態３について、以下に説明する。なお、説明の便宜上、実施形態１、２にて説明した部材と同じ機能を有する部材については、同じ符号を付記し、その説明を繰り返さない。
【００２２】
図３は、本実施形態に係る通信端末１の、アンテナ３を含む断面図である。図３（ａ）に示すように、カバー４は、アンテナ３の少なくとも一部と重なる位置であって、外部に露出する側の面に凹部４３を有する。また、カバー４は、凹部４３に充填された誘電体４４をさらに有してもよい。
【００２３】
図３（ｂ）に示すように、図３（ａ）の構成に加えて、カバー４は、アンテナ３の少なくとも一部と重なる位置であって、筐体２に接する側の面に凹部４１を有するとともに、凹部４１に充填された誘電体４２をさらに有してもよい。
【００２４】
（実施形態３の効果）
実施形態３によれば、アンテナ３の少なくとも一部と重なる位置にあるカバー４が薄くなることにより、カバー４の影響が小さくなり、アンテナの周波数特性のずれを軽減することができる。
【００２５】
〔実施形態４〕
本発明の実施形態４について、以下に説明する。なお、説明の便宜上、実施形態１〜３にて説明した部材と同じ機能を有する部材については、同じ符号を付記し、その説明を繰り返さない。
【００２６】
図４は、本実施形態に係る通信端末１の、アンテナ３を含む断面図である。図４に示すように、カバー４は、アンテナ３の少なくとも一部と重なる位置であって、筐体２に接する側の面に凹部４１を有する。さらに、カバー４は、凹部４１の内部に設けられたリブ４５をさらに有する。リブ４５は、凹部４１を補強するために、その内面に対して垂直に取り付けられる部材である。
【００２７】
（実施形態４の効果）
実施形態４によれば、カバー４に凹部４１がない構成よりも、アンテナの周波数特性のずれを軽減することができ、かつ、通信端末１の剛性を確保することができる。
【００２８】
〔実施形態５〕
本発明の実施形態５について、以下に説明する。なお、説明の便宜上、上記実施形態にて説明した部材と同じ機能を有する部材については、同じ符号を付記し、その説明を繰り返さない。
【００２９】
図５は、本実施形態に係る通信端末１の断面図である。図５（ａ）〜（ｃ）は、通信端末１の、アンテナ３を含む断面図である。図５（ａ）は、アンテナ３の端部が開放端である構成を示す。図５（ｂ）は、アンテナ３の端部が内部で短絡している構成を示す。図５（ｃ）は、アンテナ３の端部が整合部を介して内部で短絡している構成を示す。図５（ｄ）は、通信端末１の、外枠５を含む断面図である。
【００３０】
図５（ａ）、（ｂ）、（ｃ）に示すように、通信端末１の筐体２の周囲に、外枠５が設けられる。外枠５は、金属であり、アンテナとして用いられる。外枠５の一部には、間隙であるスリット部６が設けられる。凹部４１は、カバー４の、スリット部６と重なる位置に設けられる。
【００３１】
図５（ａ）に示すように、凹部４１は、カバー４の、アンテナ３の開放端と重なる位置に設けられる。換言すれば、凹部４１は、カバー４の、アンテナ３の電界が最大になる箇所と重なる位置に設けられる。
【００３２】
アンテナ３においては、開放端で電界が最大になるため、周囲の影響を最も大きく受ける。そのため、外枠５のスリット部６（おおよそ開放端）にカバー４が近接しないようにする。
【００３３】
なお、アンテナ３の端部は完全に開放でなくても、内部で短絡していてもよく、整合部を介して短絡していてもよい。
【００３４】
図５（ｂ）に示すように、アンテナ３の端部が、グランドＧに接続されている。
【００３５】
図５（ｃ）に示すように、アンテナ３の端部が、整合回路である整合部７を介してグランドＧに接続されている。
【００３６】
図５（ｄ）に示すように、凹部４１は、カバー４の、４個のスリット部６と重なる位置に設けられる。なお、凹部４１は、必ずしもすべてのスリット部６に応じて設けられていなくてもよい。すなわち、凹部４１は、４個のうち、何れか１〜３個のスリット部６と重なる位置に設けられていてもよい。
【００３７】
（実施形態５の効果）
実施形態５によれば、スリット部６のカバー４が凹んでいるため、アンテナ３の開放端をカバー４から離すことができ、アンテナの周波数特性のずれを軽減できる。従って、アンテナ性能の劣化を軽減することができる。
【００３８】
〔まとめ〕
本発明の態様１に係るカバー付き通信端末は、筐体と、上記筐体に備えられたアンテナと、上記筐体を覆うカバーと、を備えており、上記カバーが、上記アンテナの少なくとも一部と重なる位置に凹部を有する。
【００３９】
本発明の態様２に係るカバー付き通信端末は、上記態様１において、上記凹部が、上記カバーの、上記アンテナの開放端と重なる位置に設けられることとしてもよい。
【００４０】
本発明の態様３に係るカバー付き通信端末は、上記態様１において、上記凹部が、上記カバーの、上記アンテナの電界が最大になる箇所と重なる位置に設けられることとしてもよい。
【００４１】
本発明の態様４に係るカバー付き通信端末は、上記態様１において、上記凹部が、上記カバーの、上記アンテナ全体と重なる位置に設けられることとしてもよい。
【００４２】
本発明の態様５に係るカバー付き通信端末は、上記態様１から４において、上記カバーが、上記凹部に充填された誘電体をさらに有することとしてもよい。
【００４３】
本発明の態様６に係るカバー付き通信端末は、上記態様１から４において、上記カバーが、上記凹部の内面に設けられたリブをさらに有することとしてもよい。
【００４４】
本発明の態様７に係るカバーは、通信端末の筐体を覆うカバーであって、上記筐体に備えられたアンテナの少なくとも一部と重なる位置に凹部を有する。
【００４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４６】
１  通信端末（カバー付き通信端末）
２  筐体
３  アンテナ
４  カバー
４１、４３  凹部
４２、４４  誘電体
４５  リブ
【図１】
2019213068.tif 000003
【図２】
2019213068.tif 000004
【図３】
2019213068.tif 000005
【図４】
2019213068.tif 000006
【図５】
2019213068.tif 000007